(57)【要約】      （修正有）【課題】貯蔵テーブルから所望の振分別に選別されたＬＥＤパッケージのみを容易に回収可能に開発されたＬＥＤパッケージ検査振分装置用の回収装置の提供。【解決手段】ＬＥＤ振分部において振り分けられた等級別にＬＥＤパッケージが嵌入され、放射状に配列される多数の回収パイプによって円柱状を呈する回収テーブルと、回転フレームの上面に取り付けられて一列に配列された複数の回収パイプの鉛直下部に形成されて開放された上面に落下するＬＥＤパッケージを収納し、底面は開閉可能に形成される第１の回収箱と、前記第１の回収箱が所定の位置に達して底面が開放されたときに落下するＬＥＤパッケージを収納し、ＬＥＤパッケージを引き出し式により取出し可能に形成される少なくとも１以上の第２の回収箱と、を有する回収ステージと、を備える。【選択図】なし【特許請求の範囲】
【請求項１】
ＬＥＤ供給部２からの多数のＬＥＤパッケージ１を搬送装置３によってＬＥＤ検査部４に搬送し、検査済みのＬＥＤパッケージ１を等級別にＬＥＤ振分部５に振り分けた後にこれを回収するＬＥＤパッケージ検査振分装置用の回収装置において、
前記回収装置９は、ＬＥＤ振分部５において振り分けられた等級別にＬＥＤパッケージ１が嵌入され、底面には開閉可能に形成される開閉扉９１が形成されて複数が一列に配列された形状がさらに放射状に配列される多数の回収パイプ９２によって円柱状を呈する回収テーブル９ａと、
前記回収テーブル９ａの下部から上方に向かって回転軸が立設されるモーター９３１によって回転する回転フレーム９３と、前記回転フレーム９３の上面に取り付けられて一列に配列された複数の回収パイプ９２の鉛直下部に形成されて開放された上面に落下するＬＥＤパッケージ１を収納し、底面は開閉可能に形成される第１の回収箱９４と、前記回転フレーム９３の上面に取り付けられて前記第１の回収箱９４が開放しようとする回収パイプ９２の下部に位置するときに前記開閉扉９１を開閉する１以上の扉開閉手段９５と、前記第１の回収箱９４が所定の位置に達して底面が開放されたときに落下するＬＥＤパッケージ１を収納し、ＬＥＤパッケージ１を引き出し式により取出し可能に形成される少なくとも１以上の第２の回収箱９６と、を有する回収ステージ９ｂと、を備えることを特徴とするＬＥＤパッケージ検査振分装置用の回収装置。
【請求項２】
前記回収パイプ９２の開閉扉９１は、前記回収テーブル９ａにおいて１回転方向に片寄って形成される第１のヒンジ９１１と、前記第１のヒンジ９１１に取り付けられて前記開閉扉９１が閉じる方向に弾性復元力が働くトーションバネ９１２と、前記開閉扉９１に取り付けられて前記第１のヒンジ９１１から垂下する開閉突起９１３と、を有し、前記扉開閉手段９５は、前記回転フレーム９３に取り付けられる第１のシリンダー９５１と、前記第１のシリンダー９５１によって昇降する昇降部材９５２と、前記昇降部材９５２の一端から上方に向かって垂直に伸びて前記回収テーブル９ａの回転によって前記開閉突起９１３を加圧して開閉扉９１を開放するカム部材９５３と、を有するえることを特徴とする請求項１に記載のＬＥＤパッケージ検査振分装置用の回収装置。
【請求項３】
前記カム部材９５３は、垂直部と、その下端に水平に折り曲げられた水平部と、を有し、前記昇降部材９５２は、一方の側に長く伸びてその先端に第２のヒンジ９５４によって前記カム部材９５３の途中が回転可能に連結され、両端が前記昇降部材９５２およびカム部材９５３の水平部に固定されたバネ９５５によって水平部は昇降部材９５２の下端に押し付けられ、前記回転フレーム９３が前記開閉扉９１を開く方向とは反対方向に回転するときに前記カム部材９５３が回転して垂直部が傾いてＬＥＤパッケージが通過可能に構成されることを特徴とする請求項２に記載のＬＥＤパッケージ検査振分装置用の回収装置。
【請求項４】
前記回転フレーム９３には、前記開閉扉９１が開かれたときに前記回収パイプ９２の開放された下部に空気を噴射するエアノズル９７がさらに形成されることを特徴とする請求項２または請求項３に記載のＬＥＤパッケージ検査振分装置用の回収装置。
【請求項５】
前記回収パイプ９２は、上部の内半径が下部の内半径よりも小さく形成されることを特徴とする請求項１に記載のＬＥＤパッケージ検査振分装置用の回収装置。
【請求項６】
前記第１の回収箱９４の底面の両側には、第２のシリンダー９４１によって回転する回転軸９４２と、一方の端が回転軸９４２に固着されて同じ回転をするが、他方の端は回転によって水平に相互密着されて底面を仕上げる一対の底面開閉扉９４３と、前記底面開閉扉９４３の回転を開放状態及び閉鎖状態に制限する第１及び第２のストッパー９４４、９４５と、を備えることを特徴とする請求項１に記載のＬＥＤパッケージ検査振分装置用の回収装置。
【請求項７】
前記第２の回収箱９６の取付個所の近傍には前記第２の回収箱９６に回収されたＬＥＤパッケージ１の等級及び数量を表示するディスプレイ部９８がさらに形成されることを特徴とする請求項１に記載のＬＥＤパッケージ検査振分装置用の回収装置。
【発明の詳細な説明】
【技術分野】
【０００１】
本発明はＬＥＤパッケージ検査振分装置用の回収装置に係り、さらに詳しくは、製造済みのＬＥＤパッケージを検査し、これを種類別に振り分けた後に各振分別にＬＥＤパッケージを貯蔵する貯蔵テーブルから所望の振分別に選別されたＬＥＤパッケージのみを容易に回収可能に開発されたＬＥＤパッケージ検査振分装置用の回収装置に関する。
【背景技術】
【０００２】
発光ダイオード（ＬＥＤ：Ｌｉｇｈｔ  Ｅｍｉｔｔｉｎｇ  Ｄｉｏｄｅ）、すなわち、発光素子は、電気を光に変換するものであり、従来の光源に比べて、小型特性、長寿命特性及び高速応答特性を有することから、自動車計器類の表示素子、光通信用光源など各種の電子機器の表示用ランプ、数字表示装置や計算機のカード読取機、バックライトなど各種の分野に広く採用されている。
【０００３】
最近の生産技術の発達と種類の多様化には目を見張るものがあり、これに伴い、一般家庭用電灯をはじめとして自動車のヘッドライト及び懐中電灯に至るまで、あらゆる分野の発光器具にこの種のＬＥＤが採用されている。
【０００４】
この種のＬＥＤは、大きく、エピ工程、チップ工程及びパッケージ工程を経て製造され、製造されたＬＥＤは、その性能を確認して振分する工程を経ることとなる。
【０００５】
ここで、ＬＥＤは、異種半導体がＰＮ接合された構造を有し、電子の有するエネルギーが直接的に光エネルギーに変換されて発光が起こるが、より具体的に、半導体に注入された電子及び正孔はバンドギャップを超えて接合部において再結合される過程でバンドギャップに相当するエネルギーが放出されて光が発せられる。
【０００６】
このとき、接合される半導体間のバンドギャップによって発光色が決定され、これをよく利用すると、青色、緑色、白色などのカラーを所望の通りに調節することができる。
【０００７】
逆に、ＬＥＤを製造するにあたって、バンドギャップの違いによってＬＥＤの特性が異なる虞があるため、いくら精度よく製造されたとしても、製造後にＬＥＤを振分する工程が必要となる。
【０００８】
図１５は、従来のＬＥＤパッケージ振分検査装置を示す平面図であり、図１６は、従来のＬＥＤパッケージ振分検査装置を示す側面図である。同図を参照すると、従来のＬＥＤパッケージ振分検査装置は、円板状を呈し、製造済みの多数のＬＥＤパッケージが投入されれば、振動によって前記ＬＥＤパッケージを一方の側に移動させるＬＥＤ供給部２と、前記ＬＥＤ供給部２の一方の側に移動されたＬＥＤパッケージを一定の方向に整列させて順次に搬送する搬送装置３と、前記搬送レール１のＬＥＤ供給部２と連結された他方の先端に隣接して上面には１つのＬＥＤパッケージが嵌入・整列される多数の固定ブロック４１が放射状に配列される回転テーブル４２と、積分球４３の下端に１つの固定ブロック４１が接近したときに前記回転テーブル４２の下部から前記固定ブロック４１に取り付けられたＬＥＤパッケージを貫通して前記積分球４３へと光を照射する照明部４４と、前記搬送装置３に整列されたＬＥＤパッケージを隣接する前記回転テーブル４２の固定ブロック４１に移載する第１のピッカー４５と、を有するＬＥＤ検査部４と、前記ＬＥＤ検査部４と隣接して上面には多数のＬＥＤパッケージが嵌入可能に下部に貫通されたＬＥＤ嵌入孔５１が形成される振分回転テーブル５２と、前記ＬＥＤ検査部４において検査されたＬＥＤパッケージを持ち上げて所定の位置に達すると前記振分回転テーブル５２が回転し、１つのＬＥＤ嵌入孔５１が鉛直下部に位置すればＬＥＤパッケージを前記ＬＥＤ嵌入孔５１に落とし込む第２のピッカー５３と、を有するＬＥＤ振分部５と、前記振分回転テーブル５２において振り分けられたＬＥＤパッケージが回収される回収テーブル９１を有する回収装置９と、を備える。
【０００９】
このとき、前記回収テーブル９１は、前記振分回転テーブル５２と同様に筒状に形成されて上面に多数のＬＥＤ回収孔が形成されているため、その内部に各振分別にＬＥＤパッケージを積み重ねて保管することが容易であるが、これを振分別に取り出す（すなわち、回収する）ための自動化装置が設けられていないのが現状であった。
【発明の概要】
【発明が解決しようとする課題】
【００１０】
本発明は上記事情に鑑みてなされたものであり、その目的は、回収テーブルに振り分けられたＬＥＤパッケージを作業者が所望の等級別に容易に且つ自動的に排出することのできるＬＥＤパッケージ検査振分装置用の回収装置を提供するところにある。
【００１１】
また、本発明の他の目的は、回収テーブルのＬＥＤ回収孔に振り分けられているＬＥＤパッケージを容易に排出することのできるＬＥＤパッケージ検査振分装置用の回収装置を提供するところにある。
【課題を解決するための手段】
【００１２】
上記の目的を達成するために、本発明は、ＬＥＤ供給部からの多数のＬＥＤパッケージを搬送装置によってＬＥＤ検査部に搬送し、検査済みのＬＥＤパッケージを等級別にＬＥＤ振分部に振り分けた後にこれを回収するＬＥＤパッケージ検査振分装置用の回収装置において、前記回収装置は、ＬＥＤ振分部５において振り分けられた等級別にＬＥＤパッケージが嵌入され、底面には開閉可能に形成される開閉扉が形成されて複数が一列に配列された形状がさらに放射状に配列される多数の回収パイプによって円柱状を呈する回収テーブルと、前記回収テーブルの下部から上方に向かって回転軸が立設されるモーターによって回転する回転フレームと、前記回転フレームの上面に取り付けられて一列に配列された複数の回収パイプの鉛直下部に形成されて開放された上面に落下するＬＥＤパッケージを収納し、底面は開閉可能に形成される第１の回収箱と、前記回転フレームの上面に取り付けられて前記第１の回収箱が開放しようとする回収パイプの下部に位置するときに前記開閉扉を開閉する１以上の扉開閉手段と、前記第１の回収箱が所定の位置に達して底面が開放されたときに落下するＬＥＤパッケージを収納し、ＬＥＤパッケージ１を引き出し式により取出し可能に形成される少なくとも１以上の第２の回収箱と、を有する回収ステージと、を備えることを特徴とする。
【００１３】
また、本発明に係るＬＥＤパッケージ検査振分装置用の回収装置において、前記回収パイプの開閉扉は、前記回収テーブルにおいて１回転方向に片寄って形成される第１のヒンジと、前記第１のヒンジに取り付けられて前記開閉扉が閉じる方向に弾性復元力が働くトーションバネと、前記開閉扉に取り付けられて前記第１のヒンジから垂下する開閉突起と、を有し、前記扉開閉手段は、前記回転フレームに取り付けられる第１のシリンダーと、前記第１のシリンダーによって昇降する昇降部材と、前記昇降部材の一端から上方に向かって垂直に伸びて前記回収テーブルの回転によって前記開閉突起を加圧して開閉扉を開放するカム部材と、を有する。
【００１４】
さらに、本発明に係るＬＥＤパッケージ検査振分装置用の回収装置において、前記カム部材は、垂直部と、その下端に水平に折り曲げられた水平部と、を有し、前記昇降部材は、一方の側に長く伸びてその先端に第２のヒンジによって前記カム部材の途中が回転可能に連結され、両端が前記昇降部材およびカム部材の水平部に固定されたバネによって水平部は昇降部材の下端に押し付けられ、前記回転フレームが前記開閉扉を開く方向とは反対方向に回転するときに前記カム部材が回転して垂直部が傾いてＬＥＤパッケージが通過可能に構成される。
【００１５】
さらに、本発明に係るＬＥＤパッケージ検査振分装置用の回収装置において、前記回転フレームには、前記開閉扉が開かれたときに前記回収パイプの開放された下部に空気を噴射するエアノズルがさらに形成される。
【００１６】
さらに、本発明に係るＬＥＤパッケージ検査振分装置用の回収装置において、前記回収パイプは、上部の内半径が下部の内半径よりも小さく形成される。
【００１７】
さらに、本発明に係るＬＥＤパッケージ検査振分装置用の回収装置において、前記第１の回収箱の底面の両側には、第２のシリンダーによって回転する回転軸と、一方の端が回転軸に固着されて同じ回転をするが、他方の端は回転によって水平に相互密着されて底面を仕上げる一対の底面開閉扉と、前記底面開閉扉の回転を開放状態及び閉鎖状態に制限する第１及び第２のストッパーと、を備える。
【００１８】
さらに、本発明に係るＬＥＤパッケージ検査振分装置用の回収装置において、前記第２の回収箱の取付個所の近傍には前記第２の回収箱に回収されたＬＥＤパッケージの等級及び数量を表示するディスプレイ部がさらに形成される。
【発明の効果】
【００１９】
本発明は、回収テーブルに振り分けられたＬＥＤパッケージを簡単な操作により自動的に所望の等級のＬＥＤパッケージのみを選別して容易に回収することから、作業が一層容易に行えるという効果がある。
【００２０】
また、ＬＥＤ回収孔においてＬＥＤパッケージ同士が嵌合されて排出し難いことから、ＬＥＤパッケージの回収作業中に発生する誤りを低減することができるという効果がある。
【図面の簡単な説明】
【００２１】
【図１】本発明に係るＬＥＤパッケージ検査振分装置を示す側面図である。
【図２】本発明の一実施形態に係るＬＥＤパッケージ検査振分装置用の回収装置を示す斜視図である。
【図３】本発明の一実施形態に係るＬＥＤパッケージ検査振分装置用の回収装置を示す分解斜視図である。
【図４】本発明の一実施形態に係るＬＥＤパッケージ検査振分装置用の回収装置を示す側断面図である。
【図５】本発明の一実施形態に係るＬＥＤパッケージ検査振分装置用の回収装置の扉開閉手段を示す底面斜視図である。
【図６】本発明の一実施形態に係るＬＥＤパッケージ検査振分装置用の回収装置における１次回収のための回転フレームの回転を示す平面図である。
【図７】本発明の一実施形態に係るＬＥＤパッケージ検査振分装置用の回収装置の扉開閉手段の作動過程を示す概念図である。
【図８】本発明の一実施形態に係るＬＥＤパッケージ検査振分装置用の回収装置の扉開閉手段の作動過程を示す概念図である。
【図９】本発明の一実施形態に係るＬＥＤパッケージ検査振分装置用の回収装置の扉開閉手段の作動過程を示す概念図である。
【図１０】本発明の一実施形態に係るＬＥＤパッケージ検査振分装置用の回収装置のカム部材の作動を示す概念図である。
【図１１】本発明の一実施形態に係るＬＥＤパッケージ検査振分装置用の回収装置における２次回収のための回転フレームの回転を示す平面図である。
【図１２】本発明の一実施形態に係るＬＥＤパッケージ検査振分装置用の回収装置の第１の回収箱の下部構造を示す底面斜視図である。
【図１３】本発明の一実施形態に係るＬＥＤパッケージ検査振分装置用の回収装置における２次回収過程を示す概念図である。
【図１４】本発明の一実施形態に係るＬＥＤパッケージ検査振分装置用の回収装置における２次回収過程を示す概念図である。
【図１５】従来のＬＥＤパッケージ振分検査装置を示す平面図である。
【図１６】従来のＬＥＤパッケージ振分検査装置を示す側面図である。
【発明を実施するための形態】
【００２２】
以下、添付図面に基づき、本発明の一実施形態に係るＬＥＤパッケージ検査振分装置用の搬送装置を当業者が容易に理解して再現できる程度に詳述する。
【００２３】
図１は、本発明に係るＬＥＤパッケージ検査振分装置を示す側面図であり、図２は、本発明の一実施形態に係るＬＥＤパッケージ検査振分装置用の回収装置を示す斜視図である。同図に示す本発明の一実施形態に係るＬＥＤパッケージ検査振分装置用の回収装置は、ＬＥＤ供給部２からの多数のＬＥＤパッケージ１を搬送装置３によってＬＥＤ検査部４に搬送し、検査済みのＬＥＤパッケージ１を等級別にＬＥＤ振分部５に振り分けた後にこれを回収するためのものである。
【００２４】
すなわち、従来のＬＥＤパッケージ検査振分装置には回収テーブル９ａは設けられていたものの、このように等級別に振り分けられたＬＥＤパッケージ（図７から図９における１）を寄せ集めるための手段がなかった。本発明は、このような問題点を解消するために、所望の等級のＬＥＤパッケージ１を自動的に寄せ集める回収ステージ９ｂを提案している。
【００２５】
図３は、本発明の一実施形態に係るＬＥＤパッケージ検査振分装置用の回収装置を示す分解斜視図であり、図４は、本発明の一実施形態に係るＬＥＤパッケージ検査振分装置用の回収装置を示す側断面図である。同図を参照すると、本発明の一実施形態に係るＬＥＤパッケージ検査振分装置用の回収装置９は、ＬＥＤ振分部５において振り分けられた等級別にＬＥＤパッケージ１が嵌入され、底面には開閉可能に形成される開閉扉９１が形成されて複数が一列に配列された形状がさらに放射状に配列される多数の回収パイプ９２によって円柱状を呈する回収テーブル９ａと、前記回収テーブル９ａの下部から上方に向かって回転軸が立設されるモーター９３１によって回転する回転フレーム９３と、前記回転フレーム９３の上面に取り付けられて一列に配列された複数の回収パイプ９２の鉛直下部に形成されて開放された上面に落下するＬＥＤパッケージ１を収納し、底面は開閉可能に形成される第１の回収箱９４と、前記回転フレーム９３の上面に取り付けられて前記第１の回収箱９４が開放しようとする回収パイプ９２の下部に位置するときに前記開閉扉９１を開閉する１以上の扉開閉手段９５と、前記第１の回収箱９４が所定の位置に達して底面が開放されたときに落下するＬＥＤパッケージ１を収納し、ＬＥＤパッケージ１を引き出し式により取出し可能に形成される少なくとも１以上の第２の回収箱９６と、を有する回収ステージ９ｂと、を備える。
【００２６】
すなわち、本発明は、回収パイプ９２のＬＥＤパッケージを前記第１の回収箱９４に寄せ集めた後にさらに第２の回収箱９６に移動させるようになっている。
【００２７】
使用者は少なくとも２以上の第２の回収箱９６を設け、回収箱別に振り分けて寄せ集めるべきＬＥＤパッケージ１を指定して入力すれば、前記回収ステージ９ｂは自動的にＬＥＤパッケージ１を振り分けて第２の回収箱９６に寄せ集める。
【００２８】
このとき、本発明は、ＬＥＤパッケージ１が前記回収パイプ９２に積み重ねられる過程においてＬＥＤパッケージ１同士が相互嵌合されて前記開閉扉９１が開かれても下部に落下することを避けるために、前記回収パイプ９２を、上部の内半径が下部の内半径よりも小さくなるように形成する実施形態を提案している。
【００２９】
また、使用者をして寄せ集められたＬＥＤパッケージ１の数量を把握せしめるために、前記第２の回収箱９６の取付個所の近傍には前記第２の回収箱９６に回収されたＬＥＤパッケージ１の等級及び数量を表示するディスプレイ部９８がさらに形成されている。
【００３０】
このとき、前記ディスプレイ部９８は１つ設けられて、２以上の第２の回収箱９６に回収されたＬＥＤパッケージ１の情報を表示してもよく、同図に示すように、２以上の第２の回収箱９６にそれぞれ別々にディスプレイ部９８を取り付けて第２の回収箱９６に回収されたＬＥＤパッケージ１の情報を表示してもよい。
【００３１】
図５は、本発明の一実施形態に係るＬＥＤパッケージ検査振分装置用の回収装置の扉開閉手段を示す底面斜視図であり、図６は、本発明の一実施形態に係るＬＥＤパッケージ検査振分装置用の回収装置における１次回収のための回転フレームの回転を示す平面図であり、そして図７から図９は、本発明の一実施形態に係るＬＥＤパッケージ検査振分装置用の回収装置における扉開閉手段の作動過程を示す概念図である。同図に示すように、前記回収パイプ９２の開閉扉９１は、前記回収テーブル９ａにおいて１回転方向に片寄って形成される第１のヒンジ９１１と、前記第１のヒンジ９１１に取り付けられて前記開閉扉９１が閉じる方向に弾性復元力が働くトーションバネ９１２と、前記開閉扉９１に取り付けられて前記第１のヒンジ９１１から垂下する開閉突起９１３と、を有する。
【００３２】
また、前記扉開閉手段９５は、前記回転フレーム９３に取り付けられる第１のシリンダー９５１と、前記第１のシリンダー９５１によって昇降する昇降部材９５２と、前記昇降部材９５２の一端から上方に向かって垂直に伸びて前記回収テーブル９ａの回転によって前記開閉突起９１３を加圧して開閉扉９１を開放するカム部材９５３と、を有する。
【００３３】
前記実施形態によって、使用者が所望の等級のＬＥＤパッケージ１を寄せ集めるために回転フレーム９３が回転して前記扉開閉手段９５がＬＥＤパッケージ１の下部に達すると、前記第１のシリンダー９５１が作動してカム部材９５３の垂直部の上端が前記開閉突起９１３と面一となるように上昇し、この後、前記カム部材９５３の斜面が前記開閉突起９１３を開方向に回転させるか、あるいは、回転フレーム９３が僅かに回転してその移動によって密着された垂直部が前記開閉突起９１３を開方向に回転させると、ＬＥＤパッケージ１は自由落下する。
【００３４】
さらに、本発明は、さらなる実施形態として、前記回転フレーム９３には前記開閉扉９１が開かれたときに前記回収パイプ９２の開放された下部に空気を噴射するエアノズル９７をさらに形成して、内部のＬＥＤパッケージ１を一層容易に落下させる構成を提案している。
【００３５】
図１０は、本発明の一実施形態に係るＬＥＤパッケージ検査振分装置用の回収装置におけるカム部材の作動を示す概念図である。同図を参照すると、前記カム部材９５３は、垂直部と、その下端に水平に折り曲げられた水平部と、を有し、前記昇降部材９５２は、一方の側に長く伸びてその先端に第２のヒンジ９５４によって前記カム部材９５３の途中が回転可能に連結され、両端が前記昇降部材９５２およびカム部材９５３の水平部に固定されたバネ９５５によって水平部は昇降部材９５２の下端に押し付けられ、前記回転フレーム９３が前記開閉扉９１を開く方向とは反対方向に回転するときに前記カム部材９５３が回転して垂直部が傾いてＬＥＤパッケージが通過可能に構成される実施形態を提案している。
【００３６】
すなわち、前記実施形態においては、前記カム部材９５３が上昇した状態で装置の誤り又は衝撃などの何らかの原因によって逆転をすれば、開閉突起９１３付き開閉扉９１の損傷または扉開閉手段９５の損傷がもたらされる虞があるため、これを防ぐために、前記実施形態のようにカム部材９５３が１方向に回転できるようにしている。
【００３７】
図１１は、本発明の一実施形態に係るＬＥＤパッケージ検査振分装置用の回収装置における２次回収のための回転フレームの回転を示す平面図であり、図１２は、本発明の一実施形態に係るＬＥＤパッケージ検査振分装置用の回収装置の第１の回収箱の下部構造を示す底面斜視図であり、そして図１３及び図１４は、本発明の一実施形態に係るＬＥＤパッケージ検査振分装置用の回収装置における２次回収過程を示す概念図である。同図を参照すると、本発明の一実施形態に係るＬＥＤパッケージ検査振分装置用の回収装置は、前記第１の回収箱９４の底面の両側に、第２のシリンダー９４１によって回転する回転軸９４２と、一方の端が回転軸９４２に固着されて同じ回転をするが、他方の端は回転によって水平に相互密着されて底面を仕上げる一対の底面開閉扉９４３と、前記底面開閉扉９４３の回転を開放状態及び閉鎖状態に制限する第１及び第２のストッパー９４４、９４５と、を備える。
【００３８】
前記実施形態は、まず、前記回収テーブル９ａが繰り返し回転しつつ各部から所望の等級のＬＥＤパッケージ１を寄せ集めた後、さらに回転して寄せ集めたＬＥＤパッケージ１を移す第２の回収箱９６の上部まで前記第１の回収箱９４を移動させる。
【００３９】
しかる後、第２のシリンダー９４１を働きかけて底面開閉扉９４３を開くと、寄せ集められたＬＥＤパッケージ１が前記第２の回収箱９６に回収される。
【符号の説明】
【００４０】
１：ＬＥＤパッケージ、
２：ＬＥＤ供給部、
３：搬送装置、
４：ＬＥＤ検査部、
４１：固定ブロック、
４２：回転テーブル、
４３：積分球、
４４：照明部、
４５：第１のピッカー、
５：ＬＥＤ振分部、
５１：ＬＥＤ嵌入孔、
５２：振分回転テーブル、
５３：第２のピッカー、
９：回収装置、
９ａ：回収テーブル、
９１：開閉扉、
９１１：第１のヒンジ、
９１２：トーションバネ、
９１３：開閉突起、
９２：回収パイプ、
９ｂ：回収ステージ、
９３：回転フレーム、
９３１：モーター、
９４：第１の回収箱、
９４１：第２のシリンダー、
９４２：回転軸、
９４３：底面開閉扉、
９４４：第１のストッパー、
９４５：第２のストッパー、
９５：扉開閉手段、
９５１：第１のシリンダー、
９５２：昇降部材、
９５３：カム部材、
９５４：第２のヒンジ、
９５５：バネ、
９６：第２の回収箱、
９７：エアノズル、
９８：ディスプレイ部、
【図１】
2012191152.tif 000002
【図２】
2012191152.tif 000003
【図３】
2012191152.tif 000004
【図４】
2012191152.tif 000005
【図５】
2012191152.tif 000006
【図６】
2012191152.tif 000007
【図７】
2012191152.tif 000008
【図８】
2012191152.tif 000009
【図９】
2012191152.tif 000010
【図１０】
2012191152.tif 000011
【図１１】
2012191152.tif 000012
【図１２】
2012191152.tif 000013
【図１３】
2012191152.tif 000014
【図１４】
2012191152.tif 000015
【図１５】
2012191152.tif 000016
【図１６】
2012191152.tif 000017